(57)【特許請求の範囲】
【請求項１】
フレーム化されたデータを伝送することのできる可変速データ通信網において、複数の物理層データ転送速度で伝送すべく、ユーザーデータを主フレームにフォーマット化する方法であって；
物理層データ転送速度Ｒを決定するステップと；
複数の予かじめ定めた主フレーム構造の内から、決定された前記物理層データ転送速度Ｒと相関する物理層フレームサイズＦを有する主フレーム構造を選択するステップと；を含み、
前記主フレーム構造は、所定グループの副フレーム構造を有し、各副フレーム構造は、ユーザーデータを挿入するための所定サイズのデータフィールドを有しており、さらに、
前記ユーザーデータをＮ個の副フレームに分割するステップと；
前記副フレームのユーザーデータを、前記選択された主フレーム構造中の前記副フレーム構造の前記データフィールドに挿入するステップと；を備え、
前記物理層データ転送速度Ｒは、
Ｒ＝Ｎ×Ｆ／Ｔ
の関係によって決定され、
Ｔは前記選択された主フレーム構造のフレーム周期であり、インターリーブ深さであることを特徴とするマルチレートＣＤＭＡ通信システムのためのフレーム構成方法。
【請求項２】
前記主フレーム構造は、１／２速フレームサイズ、１／４速フレームサイズ、１／８速フレームサイズおよび全速フレームサイズから成るグループから選択された副フレームから成ることを特徴とする請求項１に記載のマルチレートＣＤＭＡ通信システムのためのフレーム構成方法。
【請求項３】
前記物理層データ転送速度と相関する前記複数の予かじめ定めた主フレーム構造は下記の表：
【表１】
0003781876.tif 000005
の通りの構造であり、ここで：
速度セット３はマルチプレックス・オプション１（ＭＯ１）を使用し；
速度セット４はマルチプレックス・オプション２（ＭＯ２）を使用し；
フレーム周期Ｔはいずれの場合にも２０ｍｓであり；
ＬＭはマルチプレックス層であり；
Ｌ１は物理層１であり；
速度セット３および速度セット４はＩＳ−９５通信規格で定められている速度セット１および２に追加された速度セットであることを特徴とする請求項２に記載のマルチレートＣＤＭＡ通信システムのためのフレーム構成方法。
【請求項４】
前記物理層データ転送速度と相関する前記複数の予かじめ定めた主フレーム構造はＩＳ−９５通信規格に準拠することを特徴とする請求項１に記載のマルチレートＣＤＭＡ通信システムのためのフレーム構成方法。
【請求項５】
前記物理層データ転送速度は、副フレーム数Ｎを変更することにより、フレームサイズの同じセットを用いてＦ／Ｔ・ｂｐｓとＮ×Ｆ／Ｔ・ｂｐｓとの間で変更されることを特徴とする請求項１に記載のマルチレートＣＤＭＡ通信システムのためのフレーム構成方法。
【請求項６】
前記選択された主フレーム構造をシリアルに送信するステップを更に有することを特徴とする請求項１に記載のマルチレートＣＤＭＡ通信システムのためのフレーム構成方法。
【請求項７】
前記副フレームのユーザーデータを前記副フレーム構造の前記データフィールドに挿入し；
前記副フレーム構造を並列に送信するステップを更に有することを特徴とする請求項１に記載のマルチレートＣＤＭＡ通信システムのためのフレーム構成方法。
【請求項８】
前記副フレーム構造は、前記副フレーム構造の各々を拡散させるために異なるウォルシュ符号を用いて並列に送信されることを特徴とする請求項７に記載のマルチレートＣＤＭＡ通信システムのためのフレーム構成方法。
【請求項９】
基本データ転送速度の倍数であるデータ転送速度を有する可変速通信システムにおいて、特別データ転送速度向けの、各々所定のサイズを持つ所定の全速フレームフォーマットおよび分数速度フレームフォーマットを有するフレーム構造を作る方法において；
前記特別データ転送速度を該基本データ転送速度で割って比を作り；
前記比の整数部分に等しい個数の全速フレームを連結し；
前記比の分数部分に等しい単一の分数速度フレームを、前記連結された全速フレームに連結するステップを有し；
前記フレーム構造は最大数の全速フレームを包含し、
前記特別のデータ転送速度は、Ｔ秒の各周期中に送信される副フレームの個数Ｎを選択することによって決定され、この周期Ｔは、Ｒ・ｂｐｓを物理層データ転送速度、Ｆビットを物理層フレームサイズ、Ｔ秒をフレーム周期とすると、次の関係；
Ｒ＝Ｎ×Ｆ／Ｔ
に従うインターリーブ深さであることを特徴とするマルチレートＣＤＭＡ通信システムのためのフレーム構成方法。
【請求項１０】
前記特別データ転送速度は、副フレーム数Ｎを変更することにより、フレーム構造の同じセットを用いてＦ／Ｔ・ｂｐｓとＮ×Ｆ／Ｔ・ｂｐｓとの間で変更されることを特徴とする請求項９に記載のマルチレートＣＤＭＡ通信システムのためのフレーム構成方法。
【請求項１１】
前記可変速通信システムはＩＳ−９５通信規格に従って動作することを特徴とする請求項９に記載のマルチレートＣＤＭＡ通信システムのためのフレーム構成方法。
【請求項１２】
データのフレームを送信することのできる可変速データ通信網において、複数の物理層データ転送速度で送信すべく、ユーザーデータをフォーマット化してデータの主フレームを作成する装置であって；
物理層データ転送速度Ｒを決定する手段と；
ユーザーデータを挿入するための所定サイズのデータフィールドを各々有する副フレーム構造の所定のグループから成る複数の所定の主フレーム構造のうちから、前記物理層データ転送速度Ｒと相関する物理層フレームサイズＦを有する、主フレーム構造を選択する手段と；
前記ユーザーデータをＮ個の副フレームに分割する手段と；
前記副フレームのユーザーデータを前記選択された主フレーム構造中の前記副フレーム構造の前記データフィールドに挿入する手段と；を備え、
前記物理層データ転送速度Ｒは、
Ｒ＝Ｎ×Ｆ／Ｔ
の関係によって決定され、
Ｔは前記選択された主フレーム構造のフレーム周期であり、インターリーブ深さであることを特徴とする装置。
【請求項１３】
基本データ転送速度の倍数であるデータ転送速度を有する可変速通信システムで、特別データ転送速度向けの、各々所定のサイズを持つ所定の全速フレームフォーマットおよび分数速度フレームフォーマットを有するフレーム構造を作成する装置であって；
前記特別データ転送速度を前記基本データ転送速度で割って比を作る手段と；
前記比の整数部分に等しい個数の全速フレームを連結する手段と；
前記比の分数部分に等しい単一の分数速度フレームを、前記連結された全速フレームに連結する手段とを有し；
前記フレーム構造は最大数の全速フレームを包含し、
前記特別のデータ転送速度は、Ｔ秒の各周期中に送信される副フレームの個数Ｎを選択することによって決定され、この周期Ｔは、Ｒ・ｂｐｓを物理層データ転送速度、Ｆビットを物理層フレームサイズ、Ｔ秒をフレーム周期とすると、次の関係；
Ｒ＝Ｎ×Ｆ／Ｔ
に従うインターリーブ深さであることを特徴とする装置。
【発明の詳細な説明】
【０００１】
【発明の属する技術分野】
本発明はＣＤＭＡセルラー電話通信網等のマルチレート通信システムに関し、特に数個の異なる物理層データ転送速度を支援することのできる通信フレーム構成を提供するための方法および手段に関する。
【０００２】
【従来の技術】
ＩＳ−９５規格を使用するＣＤＭＡ通信システム等の、現存するマルチレート通信システムでは、通信メッセージは物理層を有するフレーム構造を用いて種々のデータ転送速度で伝送される。ＩＳ−９５通信規格によると、メッセージのデータ転送速度は、物理層フレームサイズＦ、フレーム周期Ｔおよび物理層データ転送速度Ｒにより決定される。この技術の多くの特徴の詳細は、ＩＳ−９５Ａ、ＴＳＢ７４およびＡＮＳＩ  Ｊ−ＳＴＤ−００８で特定される規格刊行物中に見いだすことができ、当業者に周知なこれら技術を本明細書において適宜参照する。
【０００３】
すなわち、ＣＤＭＡ通信システムについてのＩＳ−９５通信規格の中の仕様によると、伝送部は物理層フレームサイズ、フレーム周期、および物理層データ転送速度を備えている。Ｒ・ｂｐｓ（毎秒Ｒビット）が物理層データ転送速度、Ｆビットが物理層フレームサイズ、Ｔ秒がフレーム周期であるならば、現行のＩＳ−９５ＣＤＭＡシステムではＲ＝Ｆ／Ｔである。許容されるフレームサイズのセットが指定され、異なるフレームサイズを選ぶことによってデータ転送速度を変更することができる。
【０００４】
図３は、ＩＳ−９５通信規格で定められている速度セット１についての、９６００ｂｐｓ、４８００ｂｐｓ、２４００ｂｐｓ、および１２００ｂｐｓのデータ転送速度でそれぞれ動作する全速、１／２速、１／４速、および１／８速フレームの、特に逆方向チャネルのフレーム構造を示す（ＡＮＳＩ  Ｊ−ＳＴＤ−００８）。また、図４は、ＩＳ−９５通信規格で定められている速度セット２についての、１４４００ｂｐｓ、７２００ｂｐｓ、３６００ｂｐｓ、および１８００ｂｐｓのデータ転送速度での類似のフレーム構造を示す。
【０００５】
図３において、９６００ｂｐｓフレームは１９２ビット、即ち１７２個の情報ビット、１２個のＣＲＣ又はフレーム品質インジケータ・ビット（Ｆ）、および８個のエンコーダ・テール・ビット（Ｔ）、から成ることが分かる。４８００ｂｐｓフレームは９６ビット、即ち、８０個の情報ビット、８個のＣＲＣ又はフレーム品質インジケータ・ビット（Ｆ）、および８個のエンコーダ・テール・ビット（Ｔ）とから成る。２４００および１２００ｂｐｓフレームにはＣＲＣビットはなく、これらのフレームの４８ビットおよび２４ビットはそれぞれ４０個および１６個の情報ビットと、各々８個のＴビットとを含んでいる。図４から分かるように、速度セット２のフレーム構造は先端の消去インジケータ・ビット（Ｅ）と後端のＦビットおよびＴビットとを含んでおり、それぞれのビット割り振りが図に示されている。
【０００６】
このようなフレーム構造において、データ転送速度を変更する第１の方法は、フレームのサイズを同じに保ちながらフレーム率を変更する方法であり、例えば、データ転送速度を９．６ｋｂｐｓから３８．４ｋｂｐｓへ増大させるために、フレームを通常行われているように２０ｍｓ毎に生成する代わりに５ｍｓ毎に生成する。また、第２の方法はフレーム率を同じに保ちながら異なるフレームサイズを画定する方法である。
【０００７】
【発明が解決しようとする課題】
しかしながら第１の方法では、最小エアインターフェース・データ転送速度は１．２ｋｂｐｓではなくて４．８ｋｂｐｓであり、これは、例えば、帯域幅を無駄に使うことになるので、経済的ではない。また、種々のシステム・タイミング・パラメータはフレーム率に基づいているので、フレーム率が変化すると他のシステム・タイミング・パラメータを変化させる結果となるが、そういう変化は望ましくない。さらに、データのフレームが単一のフレームの上にインターリーブされ、また誤り訂正を良好に実行するには２０ｍｓのインターリーブ深さを維持するのが望ましいが、５ｍｓのフレーム、従って５ｍｓのインターリーブ深さでは誤り訂正を良好に実行するのに充分なインターリーブが行えない。
【０００８】
また、第２の方法では、データ転送速度が大きければフレームサイズが非常に大きくなり、その結果としてフレーム誤り率（以下「ＦＥＲ」と称す）が大きくなる。また、最低データ転送速度および最高データ転送速度との中間の種々のデータ転送速度に対処するために多数の異なる種類のフレームを作成しなければならない。
【０００９】
この様に、データ転送速度を変更する上記の２つの方法には、効率に関して限界がある。
従って、マルチレート通信システムでは、幾つかの異なる物理層データ転送速度を効率的に支援することのできるフレーム構造が必要である。
【００１０】
本発明の目的は、上記の従来技術の２つの方法の限界を克服するフレーム構成方法を提供することである。
本発明の他の目的は、幾つかの異なる物理層データ転送速度を効率的に支援することのできるフレーム構造を提供することである。
本発明の他の目的は、少数の異なる種類のフレームのみを用いて多数のデータ転送速度を支援するフレーム構成方法を提供することである。
【００１１】
【課題を解決するための手段】
本発明は、マルチレート高速データＣＤＭＡシステムを修正して、如何なるチャネル条件下でもＦＥＲを高める結果となる非常に大きなフレームの使用を避けるために、フレームサイズを比例的に大きくせずに物理層データ転送速度を基本ＩＳ−９５転送速度のｎ倍に高め得る様にする技術に関する。データ転送速度は、Ｔ秒の各周期中に送信されるフレームの数Ｎを変えることにより変更される。この周期Ｔはインターリーブの深さである。ここで、Ｒ・ｂｐｓは物理層データ転送速度、Ｆビットは物理層フレームサイズ、Ｔ秒はフレーム周期であるとすると、次の関係が成り立つ：Ｒ＝Ｎ×Ｆ／Ｔ。この方法では、許容されるフレームサイズの割合に小さなセットを用いてデータ転送速度をＦ／Ｔ・ｂｐｓとＮ×Ｆ／Ｔ・ｂｐｓとの間で変化させることができる。この方法によれば、多様な中間のデータ転送速度も利用可能となる。大きなデータ転送速度については、多数の小さなフレームではオーバーヘッドが大きくなるので、大きなフレームサイズを画定して物理層オーバーヘッドの割合を減少させることができる。
【００１２】
更に本発明によると、一定数の副フレーム構造を組み合わせてデータの主フレームを形成する。副フレームは、全速フレームと、全速フレームの簡単な分数、即ち、１／２速フレーム、１／４速フレーム、１／８速フレームとである。１つの全速フレームを使用するデータ転送速度である基本データ転送速度が設定される。主フレームを生成するために必要な副フレームのサイズを計算するために、所望のデータ転送速度をこの基本データ転送速度で割って比を形成する。この比の整数部分は、必要な全速フレームの数を表し、この比の分数部分は使用する分数速度フレームのサイズを決定する。計算された数の全速フレームを単一の分数速度フレームと連結して、送信される最終フレーム構造を作成する。例えば、基本データ転送速度が９６００ｂｐｓであれば、データのフレームを２４、０００ｂｐｓ向けにフォーマット化するために、２４、０００／９６００の比は２．５に等しい。従って、データを２４、０００ｂｐｓで送信するための所望のフレームフォーマットを作成するために、２つの全速フレームを１つの半速フレームと連結することになる。
【００１３】
【発明の実施の形態】
本発明のマルチレート高速データＣＤＭＡシステムでは、物理層データ転送速度が基本ＩＳ−９５速度のｎ倍に高められると、如何なるチャネル条件下でもフレームが大きくなればＦＥＲが大きくなるので、フレームサイズを速度に比例して大きくはしない。その代わりに、データ転送速度は、Ｔ秒の各周期中に伝送されるフレームの数Ｎを変えることによって変更し、この周期Ｔはインターリーブ深さである。
【００１４】
この場合、Ｒ＝Ｎ×Ｆ／Ｔという関係になる。この方法を使って、許容されるフレームサイズの同じセットを用いてＦ／Ｔ・ｂｐｓとＮ×Ｆ／Ｔ・ｂｐｓとの間でデータ転送速度Ｒを変更することができ、多様な中間のデータ転送速度を利用することが可能となる。例えば、マルチプレックス・オプション１および２（ＭＯ１）および（ＭＯ２）について定められている現存するフレーム構造を用いて３８．４ｋｂｐｓ（４×９．６）、５７．６ｋｂｐｓ（４×１４．４）、７６．８ｋｂｐｓ（８×９．６）、および１１５．２ｋｂｐｓ、（８×１４．４）のデータ転送速度を実現することができる。
【００１５】
更に、本発明では、データの主フレームは決まった数の副フレーム構造を組み合わせて比較的に大きなデータフレームを形成することができる。副フレームは全速フレームや、全速フレームの簡単な分数、即ち、１／２速フレーム、１／４速フレームおよび１／８速フレームである。基本データ転送速度は、例えば９６００ｂｐｓや１４４００ｂｐｓ等の、単一の全速フレームを使用するデータ転送速度が設定される。副フレームのサイズを計算することは主フレームを生成するために必要であり、所望のデータ転送速度は基本データ転送速度で割った比となる。
【００１６】
この比の整数部分は必要な全速フレームの数を表し、この比の分数部分は使用する分数部分のサイズを決定する。送信される最終フレーム構造を作るために、計算された数の全速フレームが単一の分数速度フレームと連結される。例えば、基本データ転送速度を９６００ｂｐｓとすると、２４、０００ｂｐｓ向けのデータフレームをフォーマット化する場合、２４、０００／９６００の比は２．５となる。従って、図１に示されているように、２個の全速フレームと１個の半速フレームとを連結して所望のフレームフォーマットを形成してデータを２４、０００ｂｐｓで送信する。
【００１７】
下記の〔表１〕は、本発明のフレーム構成方法に基づいて、現存するマルチプレックス・オプションを用いて本発明の高速データ転送速度のセットを支援する方法の例を示したものである。
【００１８】
【表２】
0003781876.tif 000002
【００１９】
ここで新しい速度セット３（ＲＳ３）はマルチプレックス・オプション１（ＭＯ１）を使用し、速度セット４（ＲＳ４）はマルチプレックス・オプション２（ＭＯ２）を使用する。パラメータＴは、どちらの場合にも２０ｍｓである。ＬＭはマルチプレックス層であり、Ｌ１は物理層１である。速度セット３および速度セット４は、ＩＳ−９５通信規格で定められている図３および４に示されている速度セット１および２（ＲＳ１およびＲＳ２）に加えられる。速度セット３は、速度セット１のために定められているフレーム構造を使用することができ、速度セット４は速度セット２のために定められているフレーム構造を使用することができる。その結果、新しいフレーム構造を使用する必要はない。
【００２０】
より高いデータ転送速度のために、最低データ転送速度は高く、また例えば１．２ｋｂｐｓ等の低いデータ転送速度は不要となり、より大きなフレームサイズは物理層のオーバーヘッドの割合を減少させることができる。既に述べたように、小さなフレームを多数用いるとオーバーヘッドが大きくなる。例えば、３０７．２ｋｂｐｓ（３２×９．６）のデータ転送速度については、オーバーヘッドおよびＦＥＲに関して３８４ビットの全速フレームサイズの方が、これより短いフレームより効率が良いので選択される。全速フレームや分数速度フレームを連結する本発明の方法は、種々のデータ転送速度のデータフレームを発生するために用いられる。
【００２１】
図１は、数個の副フレーム（１１０、１２０、１３０）から成る比較的に大きなデータフレーム（１００）の例を示す。この例では、２４．０ｋｂｐｓの物理的データ転送速度が望ましく、基本データ転送速度は９．６ｋｂｐｓである。従って、２４／９．６＝２．５なので、主フレーム１００を作るとき、１９２ビットの２つの全速フレーム１１０および１２０が９６ビットの１つの半速フレーム１３０と連結される。
【００２２】
ＩＳ−９５エアインターフェースには、基地局から移動局への順方向リンクと、移動局から基地局への逆方向リンクとがある。本発明を順方向リンクに適用するときには、複数のウォルシュ・チャネルを使ってデータの副フレームを並列に送信するのが好ましい。各副フレームを拡散させるためにそれぞれ異なるウォルシュ符号を使用し、その拡散された信号が同じ時間率で移動局へ放射送信される。一方、本発明を逆方向リンクに適用するときには、データの副フレームを連結してシリアルに送信するのが好ましい。
【００２３】
ユーザーデータを送信するためにフォーマット化して、データのフレームを送信することのできる可変速データ通信網における複数の物理層データ転送速度を支援するデータフレームとするために、下記のステップを実行するためのシステムが採用される：
１）  物理層データ転送速度を決定する。
２）  数個の所定の適当な主フレーム構造の中から、選択された物理層データ転送速度と相関する主フレーム構造を選択する。この主フレーム構造は副フレーム構造の所定のグループから成り、その各々が、ユーザーデータを挿入するための所定のサイズのデータフィールドを有する。副フレーム構造は、１／８速フレーム、１／４速フレーム、１／２速フレーム、および全速フレームから成る。前記の数個の所定の適当な主フレーム構造は、上記の〔表１〕に表示されているものであってよい。
３）  ユーザーデータを副フレームに分割する。
４）  ユーザーデータの副フレームを、送信される副フレーム構造のデータフィールドに挿入する。
【００２４】
基本データ転送速度の倍数であるデータ転送速度を有する可変速通信システムにおいて、特別のデータ転送速度向けの、各々所定のサイズを持つ所定の全速フレームフォーマットおよび分数速度フレームフォーマットを有するフレーム構造を作るために、次のステップを実行するシステムが採用される：
１）  その特別のデータ転送速度を基本データ転送速度で割って比を決定する。
２）  その決定された比の整数部分に等しい個数の全速フレームを連結する。
３）  その決定された比の分数部分に等しい単一の分数速度フレームを、前記の連結された全速フレームに連結する。このとき、該フレーム構造は最大数の全速フレームを包含する。
【００２５】
もう一つの例では、ＱＰＳＫ変調器をシングル・チャネルではなくてデュアル・チャネルとするとともに、前の例での変更の全てを維持することによって、前の例のデータ転送速度を２倍にする。この場合、順方向チャネルについては、少なくとも１つのウォルシュ・チャネルが同相チャネルおよび直角位相チャネルの両方で動作するように、４個のウォルシュ・チャネルが単一の高速データユーザーに割り当てられる。従来のＩＳ−９５システムでは、送信路のＩ枝路およびＱ枝路の伝えるデータは、長さの異なる符号でスクランブルされてはいても同一のデータである。一方、これと対照的に、本発明の実施の形態ではＩおよびＱは互いに独立しているデータを伝送する。
【００２６】
変調方式をデュアル・チャネルＱＰＳＫに変更してデータ転送速度を２倍にするということは、最低データ転送速度が速度セット５では２．４ｋｂｐｓで速度セット６では３．６ｋｂｐｓとなることを意味する。最大データ転送速度は、速度セット５については７６．８ｋｂｐｓ、速度セット６については１１５．２ｋｂｐｓである。下記の〔表２〕は、ＲＳ５およびＲＳ６の模範的なデータ転送速度を示す。この表の速度は、異なるＩおよびＱデータを考慮して、マルチプレックス・オプション１および２を用いる速度セット５および速度セット６に基づいている。
【００２７】
３８４ビットに基づく付加的なマルチプレックス・オプション（ＭＯ３）を使って高速データサービス向けの効率の良いフレームフォーマットを提供することができる。マルチプレックス・オプション３を使用する速度セット５についてのＢＥＲ１０−３でのデータ転送速度が下記の〔表３〕に示されている。より高い速度では、速度セット２の全速フレームと同一である３／４速フレームを使用することができる。ここでフレームフォーマットは、図２に示されている様に、より長い３８４ビットの副フレームを含んでいる。
【００２８】
【表３】
0003781876.tif 000003
【００２９】
【表４】
0003781876.tif 000004
【００３０】
このように、本発明の方法を利用することにより、現存するシステムの規格を少し変えるだけで、効率よくデータ転送速度を変更しフレーム構造を改善することができることが分かる。当業者は、以上の説明を参照して本発明の方法を実施する適当な通信システムを容易に組み立てることができる。
【図面の簡単な説明】
【図１】数個の比較的に小さなデータフレームから成る比較的に大きなデータフレームの実例を示しており、ここで望ましいデータ転送速度は２４．０ｋｂｐｓで、基本速度は９６００ｂｐｓであり、本発明に従って（２４／９．６＝２．５）２個の全速フレームが１個の半速フレームと連結される。
【図２】高速データサービスのための効率の良いフレームフォーマットを提供する３８４ビットに基づく付加的なマルチプレックス・オプション（ＭＯ３）に従うデータフレームの例を示す。
【図３】ＩＳ−９５通信規格で定められている速度セット１のための逆方向交通チャネル・フレーム構造、即ち、９６００ｂｐｓ、４８００ｂｐｓ、２４００ｂｐｓ、および１２００ｂｐｓのデータ転送速度でそれぞれ動作する全速フレーム、１／２速フレーム、１／４速フレーム、および１／８速フレーム、を示す。
【図４】ＩＳ−９５通信規格で定められている速度セット２のための逆方向交通チャネル・フレーム構造、即ち、１４４００ｂｐｓ、７２００ｂｐｓ、３６００ｂｐｓ、および１８００ｂｐｓのデータ転送速度でそれぞれ動作する全速フレーム、１／２速フレーム、１／４速フレーム、および１／８速フレーム、を示す。
【符号の説明】
Ｅ  消去インジケータ・ビット
Ｆ  フレーム品質インジケータ・ビット
Ｔ  エンコーダ・テール・ビット
【図１】
0003781876.tif 000006
【図２】
0003781876.tif 000007
【図３】
0003781876.tif 000008
【図４】
0003781876.tif 000009